(57)【要約】【課題】収納用の別物品を必要とすることなく、吊り下げ状態で使用する場合と、吊り下げないで使用する場合と、に共用できるコスト安な梱包箱を提供する。【解決手段】四方の側面部１，２，３，４と上面部５と底面部を有し、薄板材の打ち抜き品を折り畳むことによって略直方体状に形成され、上面部５が収納口を閉塞する上蓋となる横置き型の梱包箱であって、底面部を形成する四つの折り曲げ片８，１３，１６，１８の内の一つ１３に、該折り曲げ片１３から切り起こし可能な切り欠き片１２をミシン目を介して設けると共に、該切り欠き片１２には、吊り下げ用の吊り下げ孔１２ａを設けている。【選択図】  図２
2004196310.tif 000002
【特許請求の範囲】
【請求項１】
四方の側面部と上面部と底面部を有し、薄板材の打ち抜き品を折り畳むことによって略直方体状に形成され、前記上面部が収納口を閉塞する上蓋となる横置き型の梱包箱であって、
前記打ち抜き品は、前記四方の側面部が一列に形成され、該四方の側面部の一方の側には、上面部を形成する折り曲げ片を設け、該四方の側面部の他方の側にそれぞれ四つの折り曲げ片を設け、さらに前記四つの折り曲げ片を折り重ねることによって前記底面部が形成され、かつ、前記四つの折り曲げ片の内の一つに、該折り曲げ片から切り起こし可能な切り欠き片をミシン目を介して設けると共に、該切り欠き片には、吊り下げ用の吊り下げ孔を設けていることを特徴とする吊り下げ可能な横型梱包箱。
【請求項２】
前記切り欠き片の切り起こしにより生じた隙間を、切り起こし部の形状又は残り三つの折り曲げ片の内一つで塞ぐことを特徴とする請求項１に記載の吊り下げ可能な横型梱包箱。
【請求項３】
前記切り欠き片に、更なる切り欠き部を切り起こして重ねることにより二重構造とし、吊り下げ部の強度を補強していることを特徴とする請求項１に記載の吊り下げ可能な横型梱包箱。
【発明の詳細な説明】
【０００１】
【発明の属する技術分野】
本発明は、各種物品を収納するための梱包箱に係り、特に、切り欠き片を切り起こせば、吊り下げ棚のフック等に懸吊させることもできるようにした吊り下げ可能な横型梱包箱に関する。
【０００２】
【従来の技術】
各種物品を内部に収納して、店舗等の吊り下げ棚に吊り下げられる梱包箱は、例えば、図１４ないし図１６に示される（例えば、特許文献１参照）。これらの図に示されるように、この梱包箱は、略直方体に形成されて、その上部に吊り下げ孔１０５を有する縦型梱包箱Ｔであり、ＡＶ製品等の被収納体１１４を収納トレイ１１３へ挿入した後に取説（取り扱い説明書）１１５で押さえ込んで箱内に収納した後、上蓋１１０を閉じて、吊り下げ棚に設けてあるフック（図示省略）等に吊り下げ陳列していた。
【０００３】
つまり、後面部材１０１の端部から延在して吊り下げ孔１０５を有する端片１０４との間に設けられた折り曲げ部１０８から、端片１０４を折り重ねて吊り下げ孔１０５，１０５を合致させた後、左右の内蓋１０３，１０７を内側に折り曲げ、前面部材１０２から延在した上蓋１１０を折り曲げ部１０９で後面部材１０１の方向へ折り曲げ、さらに差し込み片１１１を上蓋１１０と差し込み片１１１の間に設けられた折り曲げ部１１２で折り曲げた後、後面部材１０１の方向へ差し込み固定していた。
【０００４】
【特許文献１】
特開平１０−８６９３４号公報（図１，図２、段落「００１５」〜「００２３」）
【０００５】
【発明が解決しようとする課題】
しかし、このような従来の縦型梱包箱Ｔの構成では、上蓋１１０で閉塞される収納口の開口面積がかなり狭くなるため、一旦、収納トレイ１１３内に被収納体１１４を挿入して、これを取説１１５と共に内部に収納した後でなければ、縦型梱包箱Ｔを閉じることができず、梱包作業の能率が低く、かつ、収納トレイ１１３と縦型梱包箱Ｔの２種類の梱包部品が必要とされるため、コスト高ともなっていた。
【０００６】
また、その上部には、吊り下げ孔１０５を形成するために、２つ折りとされる端片１０４を有しているため、吊り下げないで使用する場合、例えば、搬送したり積み重ねたりする場合には、上部に突出した端片１０４が邪魔になることもあった。
【０００７】
本発明は、このような実情に鑑みてなされ、収納用の別物品を必要とすることなく、吊り下げ状態で使用する場合と、吊り下げないで使用する場合と、に共用できるコスト安な梱包箱を提供することを目的とする。
【０００８】
【発明が解決しようとする課題】
本発明は、上述の課題を解決するための手段を、以下のように構成している。
【０００９】
（１）四方の側面部と上面部と底面部を有し、薄板材の打ち抜き品を折り畳むことによって略直方体状に形成され、前記上面部が収納口を閉塞する上蓋となる横置き型の梱包箱であって、
前記打ち抜き品は、前記四方の側面部が一列に形成され、該四方の側面部の一方の側には、上面部を形成する折り曲げ片を設け、該四方の側面部の他方の側にそれぞれ四つの折り曲げ片を設け、さらに前記四つの折り曲げ片を折り重ねることによって前記底面部が形成され、かつ、前記四つの折り曲げ片の内の一つに、該折り曲げ片から切り起こし可能な切り欠き片をミシン目を介して設けると共に、該切り欠き片には、吊り下げ用の吊り下げ孔を設けていることを特徴とする。
【００１０】
この構成においては、吊り下げ状態で使用する場合には、ミシン目を破断することで、吊り下げ孔を有する切り欠き片を切り起こせばよく、吊り下げないで使用する場合には、ミシン目を破断せずに、そのままの状態で使用すれば、外部に突出するものがなく、邪魔になるものはないため、搬送したり、積み重ねたりしても、何ら不都合はない。つまり、標準形と吊り下げ形の２通りの用途を、切り欠き片を切り起こすか否かで簡単に選択することができる。
【００１１】
また、横置き型の梱包箱にしたことで、上蓋によって閉塞される収納口の面積が格段に広くなるため、例えば、図６に示すように、ＡＶ製品等の各被収納体４１〜４３をそのままの状態で取説Ｍと共に箱内に収納することができ、従来縦型梱包箱で使用していた収納トレイを廃止することができる。従って、コスト安となり、かつ、横型梱包箱の組み込みのみで、梱包作業を容易かつ能率よく済ませることができる。
【００１２】
（２）前記切り欠き片の切り起こしにより生じた隙間を、切り起こし部の形状又は残り三つの折り曲げ片の内一つで塞ぐことを特徴とする。
【００１３】
この構成においては、吊り下げ片を切り起こす時に生じることのある底部の隙間も、吊り下げ形状や底部端片の長さを調整するだけで簡単に覆うことができ、内部への異物の進入を防止することができる。
【００１４】
（３）前記切り欠き片に、更なる切り欠き部を切り起こして重ねることにより二重構造とし、吊り下げ部の強度を補強していることを特徴とする。
【００１５】
この構成においては、更なる切り欠き部を切り起こして、前記切り欠き片に重ねることで、吊り下げ孔が２重構造となり、吊り下げ時の強度が向上する。
【００１６】
【発明の実施の形態】
以下に、本発明の実施の一形態に係る吊り下げ可能な横型梱包箱について図面を参照しつつ詳細に説明する。
図１は、吊り下げ可能な横型梱包箱（以下、横型梱包箱Ｙという）の底部から見た斜視図、図２は展開図である。これらの図に示すように、この横型梱包箱Ｙは、薄板材の打ち抜き品を折り畳むことによって略直方体状に形成される横型梱包箱であり、四方の側面部と上面部と底面部を有し、その四方の側面部は、後面部１、側片部２、前面部３、側片部４からなり、これらが一列に配列されている。
【００１７】
各側面部の両側には、それぞれ上面部と底面部を形成するための折り曲げ片が折り曲げ部（折り罫）ｓを介して折り曲げ可能に連設されている。すなわち、後面部１の一方の側には、折り曲げ部ｓを介して後面端部５が連設され、その後面端部（この発明で言う上面部を形成する折り曲げ片）５には折り曲げ部ｓを介して延在片６が連設され、かつ、その折り曲げ部ｓの中央部位には受け孔７が穿設されており、他方の側には、折り曲げ部ｓを介して底部端片８が連設されている。
【００１８】
側片部２の一方の側には、それぞれ折り曲げ部ｓを介して内蓋９，１０，１１が連設されており、他方の側には、折り曲げ部ｓを介して、切り起こし可能な切り欠き片１２及び底部端片１３が連設されている。その切り欠き片１２には、吊り下げ孔１２ａが形成され、後述するように、その切り欠き片１２を切り起こせば、吊り下げ可能となる。
【００１９】
前面部３の一方の側には、それぞれ折り曲げ部ｓを介して端片１４及び端部１５が連設されており、他方の側には、折り曲げ部ｓを介して底部端片１６が連設されている。また、側片部４の一方の側には、２つの折り曲げ部ｓ，ｓを介して内蓋１７が連設され、他方の側には、底部端片１８が連設されている。
【００２０】
上述の前面部３と端片１４との間の折り曲げ部ｓには、略Ｕ字状の切り欠きｃが形成され、その切り欠きｃで囲まれた部分に、前面部３の中央端部で折り曲げ可能な舌片１９ａ，１９ｂが連設状態に形成されている。
【００２１】
概ね以上のような展開状態の構成を有する横型梱包箱Ｙの組み立て手順について説明すると、まず、四方の側面部、すなわち、後面部１、側片部２、前面部３、側片部４をそれぞれ直角に折り曲げて、後面部１の継ぎシロ１ａを側片部４に貼り付け、図４に示すように、底部端片（この発明で言う四つの折り曲げ片）８，１３，１６，１８を、この順番で略９０度内側に折り込み、かつ、図５に示すように、底部を形成する。
【００２２】
次いで、図３に示すように、前面部３に連設する端片１４を矢印Ｅ方向に略１８０度内側に向けて折り曲げ、前面部３の内側に折り重ね合わせた後、端片１４に連設する端部１５を略９０度外側に折り曲げて底部収納場所を形成し、図６に示すように、被収納体４１〜４３を収納できるようにする。
【００２３】
さらに、図６，図７に示すように、内蓋９，１０，１１及び１７を略９０度内側へ折り曲げ内蓋をした後、後面部１に連設する後面端部５と延在片６を折り曲げ部ｓから前面部３に向けて折り曲げ、その後面端部５で上蓋をする。この時、取説（取り扱い説明書）Ｍは、内蓋１７の上に載せた状態で収納する。
【００２４】
そして、後面部１に連設する後面端部５と延在片６の間にある折り曲げ部ｓを略直角に折り曲げることで形成された受け孔７へ、前面部３の端部に設けられた折り曲げ可能な舌片１９ａ，１９ｂを、折り曲げ部ｓで折り曲げて挿入することで、収納口を閉塞する上蓋としての後面端部５が固定され、標準の横型梱包箱Ｙが形成される。
【００２５】
このように、横置き型としたことで、上蓋となる後面端部５で塞がれる収納口の開口面積が、縦型梱包箱に比して格段に広くなるため、従来のような収納トレイを必要とすることなく、被収納体４１〜４３をそのままの状態で収納することができ、かつ、取説Ｍも水平状態で内蓋１７に載せることができ、梱包の作業性が格段に向上する。
【００２６】
また、前述したように、この横型梱包箱Ｙは、図２，図４，図５に示すように、底部端片１３内に切り欠き片１２を有しており、この切り欠き片１２は、内部に吊り下げ孔１２ａを有して、吊り下げ片として使用することができる。すなわち、側片部２と底部端片１３の間に形成された折り曲げ部ｓを底辺として折り曲げ可能な切り欠き片１２を設けている。なお、この例では、切り欠き片１２と、底部端片１３の端部１３ａとの距離（イ）を設けるため、その切り欠き片１２を略三角形状としているが、切り欠き片１２の形状は、これに限らず、側片部２と切り欠き片１２の間の折り曲げ部ｓを底辺として上記距離（イ）を設定した台形形状や他の形状でも構わない。
【００２７】
このように、切り欠き片１２内に吊り下げ孔１２ａを設け、（ア）で示す周辺切り欠き部をミシン目にすることで、上述の折り曲げ部ｓを基準とした切り起こしが可能となり、これにより、切り欠き片１２を使用するか否かの選択が可能となる。つまり、横型梱包箱Ｙを吊り下げ用として使用するか、標準の横置き状で使用するかを、ユーザーが自由に選択できることとなる。その切り欠き片１２を使用しない場合には、底部端片１３内に一体化されたままで外部に突出しないことから、搬送や積み重ね時にも、何ら邪魔になることはない。
【００２８】
さらに、本実施の形態では、切り欠き片１２の略三角形の上部辺りに切り起こし用の孔２１を設けているため（図５参照）、これにより、この切り起こし用の孔２１に指先を入れて切り欠き片１２を容易に切り起こすことができる。切り欠き片１２を切り起こした後は、図１に示すように、吊り下げ片として使用することができ、その時は、縦型となる。
【００２９】
ところで、図８に示すように、この横型梱包箱Ｙの幅寸法Ｃが短い場合は、底部端片１３の折り曲げ部ｓを基準に切り欠き片１２を切り起こした時に隣接する底部端片１６との組み重ねの間に隙間部２２が生じることとなる。
【００３０】
そこで、吊り下げ陳列時等に、この隙間部２２から埃や虫等が進入するのを防ぐための一つの方法として、図９に示すように、切り欠き片１２の折り曲げ部ｓの長さＡを短くして調整するか、図１０に示すように、底部端片１６の舌片部１６ａ，１６ａの長さＢを大きくしてＢ′とすることで、隙間部２２を覆うことができる。
【００３１】
この時、図９に示すように、底部端片１６の舌片部１６ａ，１６ａの長さＢを増加させた分（Ｂ′−Ｂ）だけ、隣接する底部端片８，１３，１８の舌片部も増加させて長さを同じにすることで、製函時における継ぎシロ１ａの貼り合わせの位置決めが容易となり、組み付け作業性が向上し、ズレ防止もできる。
【００３２】
もう一つの方法として、図１１に示すように、切り欠き片１２の形状を折り曲げ部ｓを底辺とした台形形状とすることで、底部端片１３へ隙間埋め部分２３が形成されるため、図８に示すような隙間部２２の発生を防ぐことが可能となる。
【００３３】
また、図１２に示すように、切り欠き片１２内の吊り下げ孔１２ａに更なる切り欠き部２４を設けることで、切り起こし時に重ね合わせる２つの吊り下げ孔１２ａ，１２ａの周縁部ｅが２重構造となり吊り下げ時の強度を向上することができる。
【００３４】
すなわち、更なる切り欠き部２４の一辺に設けられた折り曲げ部２５を基準として吊り下げ孔１２ａを反転することで軸対称となり、図１３（ｂ）に示すように、折り曲げ部２５を基準として矢印Ｆ方向に折り曲げることで切り欠き片１２と更なる切り欠き部２４が重なり、図１３（ａ）に示すような２重構造とすることができる。
【００３５】
なお、本発明は、以上説明した実施の形態に限定されることなく、発明の趣旨を逸脱しない限りにおいて、必要に応じて、適宜、改良、設計変更等は自由であるのは言うまでもない。
【００３６】
【発明の効果】
以上の説明から明らかなように、本発明は、以下の効果を奏する。
【００３７】
（１）四つの折り曲げ片の内の一つに、該折り曲げ片から切り起こし可能な切り欠き片をミシン目を介して設けているので、吊り下げ状態で使用する場合には、ミシン目を破断することで、吊り下げ孔を有する切り欠き片を切り起こせばよく、吊り下げないで使用する場合には、ミシン目を破断せずに、そのままの状態で使用すれば、外部に突出するものがなく、邪魔になるものはないため、搬送したり、積み重ねたりしても、何ら不都合はない。つまり、標準形と吊り下げ形の２通りの用途を、切り欠き片を切り起こすか否かで簡単に選択することができる。
【００３８】
また、横置き型の梱包箱にしたことで、上蓋で閉塞される収納口の開口面積が格段に広くなるため、ＡＶ製品等の各被収納体をそのままの状態で取説と共に順次箱内に収納することができ、従来縦型梱包箱で使用していた収納トレイを廃止することができ、その横型梱包箱の組み込みのみで、梱包作業を容易かつ能率よく済ませることができる。
【００３９】
（２）吊り下げ片を切り起こす時に生じることのある底部の隙間を、吊り下げ形状や底部端片の長さを調整するだけで簡単に覆うことができ、内部への異物の進入を防止することができる。
【００４０】
（３）吊り下げ部に更なる切り起こしを設けることで、吊り下げ孔が２重構造となり、吊り下げ時の強度が向上する。
【図面の簡単な説明】
【図１】本発明の実施の形態に係る横型梱包箱の底面から見た斜視図である。
【図２】同展開図である。
【図３】同組み立て完了直前の状態の斜視図である。
【図４】同底面部の折り曲げ片を折り曲げる前の状態を示す平面図である。
【図５】同底面部の平面図である。
【図６】同被収納体の挿入過程を示す斜視図である。
【図７】同取説の挿入過程を示す斜視図である。
【図８】同吊り下げ片となる切り欠き片を切り起こした時に生じる隙間を示す説明図である。
【図９】同底部端片の舌片部の長さを増加させる場合の展開説明図である。
【図１０】同底部端片の舌片部の長さを増加させて隙間を埋める場合の説明図である。
【図１１】同吊り下げ片となる切り欠き片を台形状に形成する場合の説明図である。
【図１２】同吊り下げ部の形状を示す説明図である。
【図１３】同吊り下げ片となる切り欠き片の切り起こし過程の説明図である。
【図１４】従来の縦型梱包箱の一例を示す斜視図である。
【図１５】同展開図である。
【図１６】同被収納体の収納過程の説明図である。
【符号の説明】
１，２，３，４−側面部
５−（上面部を形成する）折り曲げ片
８，１３，１６，１８−（底面部を形成する）四つの折り曲げ片
１２−切り欠き片
１２ａ−吊り下げ孔
２２−隙間
２４−更なる切り欠き片
【図１】
2004196310.tif 000003
【図２】
2004196310.tif 000004
【図３】
2004196310.tif 000005
【図４】
2004196310.tif 000006
【図５】
2004196310.tif 000007
【図６】
2004196310.tif 000008
【図７】
2004196310.tif 000009
【図８】
2004196310.tif 000010
【図９】
2004196310.tif 000011
【図１０】
2004196310.tif 000012
【図１１】
2004196310.tif 000013
【図１２】
2004196310.tif 000014
【図１３】
2004196310.tif 000015
【図１４】
2004196310.tif 000016
【図１５】
2004196310.tif 000017
【図１６】
2004196310.tif 000018